(57)【要約】【課題】和風および洋風の両方の雰囲気にも適用できる建具を提供すること。【解決手段】障子２は、上框、下框および左右の縦框１３を四方枠組みした框体１０と、框体１０の内側に取り付けられた桟材とを含む骨組体２２を備える。骨組体２２の表裏面には、当該表裏面の略全体を覆う透光性を有する合成樹脂製のシート材３０が貼り付けられている。縦框１３の溝部６１には縦エッジ材４１が取り付けられている。縦エッジ材４１は、その端縁から立ち上がる立上部４１２を有し、立上部４１２がシート材３０の端縁を框体１０の表裏面側へ押えている。【選択図】    図２
2005232865.tif 000002
【特許請求の範囲】
【請求項１】
框材を四方枠組みして構成された框体と、この框体の内側に取り付けられた桟材とからなる骨組体を備える建具であって、
前記框体および前記桟材の表裏面に、前記骨組体の表裏面の略全体を覆うシート材が貼り付けられていることを特徴とする建具。
【請求項２】
前記シート材は、透光性を有する合成樹脂製シートであることを特徴とする請求項１に記載の建具。
【請求項３】
前記框体の外周に取り付けられたエッジ材を備え、
このエッジ材は、その両端縁から立ち上がって、前記シート材の端縁を押える立上部を備えることを特徴とする請求項１または請求項２に記載の建具。
【請求項４】
前記立上部の立ち上がり寸法が１０ｍｍ以下であることを特徴とする請求項３に記載の建具。
【請求項５】
前記框体の表裏面の端縁には、面外方向へ前記シート材の厚さ寸法と略同じ寸法分だけ突出する突条部が形成され、この突条部によって囲まれる内側部分に前記シート材が収納されていることを特徴とする請求項１〜請求項４のいずれかに記載の建具。
【請求項６】
前記シート材は、前記框体および桟材の表裏面に貼付された際に前記框体からはみ出すはみ出し部を有し、このはみ出し部は、前記框体の外周に形成された溝部へ折り込まれ、この折り込み部分が、前記溝部に嵌入されるエッジ材により当該エッジ材と前記框体との間に挟み込まれていることを特徴とする請求項１または請求項２に記載の建具。
【発明の詳細な説明】
【技術分野】
【０００１】
本発明は、建具に関し、特に、框材を四方枠組みして構成された框体と、この框体の内側に取り付けられた桟材とからなる骨組体を備える建具に関する。
【背景技術】
【０００２】
従来より、障子として、上框、下框および左右の縦框からなる木製の框材を四方枠組みした框体の内側に縦横の桟材を取り付けてなる骨組体の片面に和紙を貼付したものが知られている（例えば、特許文献１参照）。このような障子は、和風建築の間仕切りや灯りとりとして用いられ、桟材による格子状の模様や、框体や桟材の木のぬくもりが室内に露出されることにより、和室の雰囲気が醸し出される。
【特許文献１】意匠登録第１１２２４６７号公報
【発明の開示】
【発明が解決しようとする課題】
【０００３】
このように、従来の障子は、框体や桟材が和風の雰囲気を醸し出す効果がある反面、近年流行しつつあるモダン和風や、洋風の雰囲気にはマッチしないという問題がある。また、障子に限らず、襖等の他の建具においても同様に、框体や桟材が露出するとモダン和風や洋風の雰囲気にマッチしないという問題がある。
【０００４】
本発明の目的は、上記の点に鑑みてなされたものであり、和風および洋風の両方の雰囲気にも適用できる和風モダンの建具を提供することにある。
【課題を解決するための手段】
【０００５】
本発明は、框材を四方枠組みして構成された框体と、この框体の内側に取り付けられた桟材とからなる骨組体を備える建具であって、前記框体および前記桟材の表裏面に、前記骨組体の表裏面の略全体を覆うシート材が貼り付けられていることを特徴とする。
【０００６】
ここで、前記框体として、アルミニウム等の金属製や、合成樹脂製、木製のもの等を採用できる。また、前記シート材として、合成樹脂や紙その他の材料を採用できる。
【０００７】
本発明によれば、骨組体の表裏面の略全面をシート材により被覆したので、建具の表裏面に框材や格子が露出せず、建具全面が一枚のシート材からなっているが如き和風モダンの意匠を醸し出すと共に、例えば、透光性を有するシート材を採用することにより、シート材を介して桟材や框体のシルエットのみを室内に露出できる。このため、従来の建具のように、框体や桟材の露出による和風の雰囲気を強く醸し出すことがないから、和風の雰囲気だけでなく、洋風の雰囲気にも十分に適用でき、例えば、フローリングからなるリビングや和室と洋室の間仕切りとして使用できる。
【０００８】
ここで、前記シート材は、透光性を有する合成樹脂製シートであることとしてもよい。このような合成樹脂としては、例えば、ポリエチレンテレフタレート（ＰＥＴ）や、ポリ塩化ビニル、アクリル樹脂等を採用できる。
【０００９】
以上の建具において、前記框体の外周に取り付けられたエッジ材を備え、このエッジ材は、その両端縁から立ち上がって、前記シート材の端縁を押える立上部を備える構成を採用してもよい。この際、前記立上部の立ち上がり寸法はできる限り小さい方がよいが、建具の外観を損なわずシート端部のはがれを防止するためには、その寸法が１０ｍｍ以下であることが好ましい。
【００１０】
以上の建具において、前記框体の表裏面の端縁には、面外方向へ前記シート材の厚さ寸法と略同じ寸法分だけ突出する突条部が形成され、この突条部によって囲まれる内側部分に前記シート材が収納されていることとしてもよい。
【００１１】
また、前記建具において、前記シート材は、前記框体および桟材の表裏面に貼付された際に前記框体からはみ出すはみ出し部を有し、このはみ出し部は、前記框体の外周に形成された溝部へ折り込まれ、この折り込み部分が、前記溝部に嵌入されるエッジ材により当該エッジ材と前記框体との間に挟み込まれていることとしてもよい。
【発明の効果】
【００１２】
本発明の建具によれば、骨組体の表裏面の略全面にわたってシート材を貼付したので、建具の表裏面に框材や格子が露出せず、和風モダンの意匠を醸し出すので、和風および洋風の両方の雰囲気に適用できる。また、シート材として透光性を有する合成樹脂シートを用いることにより、シート材を通して、骨組体のシルエットを展開することができる。このため、障子様のシルエットによる和風な雰囲気を保持しつつも、骨組体の質感が室内に演出されるため、洋風な雰囲気をも醸し出すことができる。
【００１３】
また、框体の外周に取り付けたエッジ材の立上部でシート材の端縁を押さえることにより、シート端部のはがれを防止できる。この立上部の寸法を１０ｍｍ以下とすることにより建具の外観を損なうことなく、シート端部のはがれを防止することができる。さらに、框体の表裏面の端縁に設けた突条部の内側部分にシート材を収納させることにより、シート材の位置決めが容易となる。
【００１４】
また、框体の外周の溝部にシート材を折り込んで、この溝部に嵌入したエッジ材によりシート材を挟み込む構成とすれば、骨組体の表裏面をシート材によって完全に覆うことが可能となり、モダン和風な雰囲気をより一層醸し出すことができる。
【発明を実施するための最良の形態】
【００１５】
以下、本発明の一実施形態に係る引き違い障子について図面を参照して説明する。  
図１は、本実施形態に係る引き違い障子１を示す縦断面図である。図２は、前記引き違い障子１を示す横断面図である。また、図３は、図２のＡ部を拡大して示す横断面図である。図４は、障子を示す正面図である。
【００１６】
引き違い障子１は、例えば建物内のリビングや洋室と和室との間仕切りとして用いられ、図２に示すように２本の柱１Ａ，１Ｂ間に配置されている。引き違い障子１は、図１，図２に示すように、建具である３枚の障子２と、各障子２を横方向に案内する案内部材３と、障子２の下部側が厚さ方向に開かないように、障子２間の姿勢変化を規制する規制部材４とを備えている。なお、本実施形態では、例えば３枚の障子２で引き違い障子１を構成しているが、障子２の枚数はこれに限らない。
【００１７】
案内部材３は、図１に示すように、前記建物の天井に取り付けられるガイドレール５と、ガイドレール５の長手方向に沿って転がる吊戸車６と、吊戸車６を各障子２の上部に連結する連結部材７とを備えている。このような案内部材３により、各障子２は上吊りの状態で、ガイドレール５に沿って移動できる。このため、前記建物の床面に走行レール等を設ける必要がなく床面を平らかにでき、バリアフリー建築にも対応できる。そして、リビングを広く使う場合には障子を開放し、区切って使いたいときには障子を閉めることにより、リビング空間の使い勝手を変更することができる。
【００１８】
各障子２の底部には溝部６０が設けられ、隣接する障子２の溝部６０の間を跨ぐように規制部材４が取り付けられている。規制部材４は、断面クランク状の板材８とブロック材９とを備えている。規制部材４の一端は障子２の溝部６０にビス止めされ、他端は底部を跨いで隣接する障子２の溝部６０へ進入して、その先端にブロック材９が取り付けられている。かかる構成によれば、障子２が厚さ方向に開こうとした際に、ブロック材９が溝部６０の側壁に干渉することで、そのような障子２の厚さ方向の姿勢変化が規制される。
【００１９】
次に、障子２の構成について詳細に説明する。  
障子２は、図４に示すように、上框１１、下框１２および左右の縦框１３，１３を四方枠組みして構成された框体１０と、框体１０の内側に格子状に取り付けられた複数本の桟材２０とからなる骨組体２２を備えている。また、框体１０および桟材２０の表裏面には、骨組体２２の略全体を覆うようにシート材３０が貼り付けられており、框体１０の外周には、シート材３０の端縁を抑えるためのエッジ材４０がねじ止め等により取り付けられている。また、一方の縦框１３の表面には、例えば堀込みタイプ（船底タイプ）の引き手５０が取り付けられている。
【００２０】
框体１０を構成する各框１１〜１３は、断面略矩形で中空の形状を有し、例えば、アルミニウム押出形材により構成されている。また、桟材２０も、各框１１〜１３と同様にアルミ押出形材により構成されている。
【００２１】
図１に示すように、上框１１は、断面略矩形状の上框本体１１１と、上框本体１１１の上端部１１Ａから表裏面側に面外方向へ突出する突条部１１２とを備えている。上框１１の内部には、上端部１１Ａを挿通する軸部材７Ａを介して案内部材３の連結部材７が取り付けられている。
【００２２】
また、下框１２は、断面略矩形状の下框本体１２１と、下框本体１２１の下端部から下方へそれぞれ延出する一対の延出部１２２とを備えている。一対の延出部１２２の間には、上述した溝部６０が形成される。また、各延出部１２２の先端部には、面外方向へ突出する突条部１２３が形成されている。
【００２３】
また、図２に示すように、縦框１３は、断面略矩形状の縦框本体１３１と、縦框本体１３１の表裏面の端部から延出する一対の延出部１３２とを備えている。これらの延出部１３２の間に溝部６１が形成され、この溝部６１には、後述するように縦エッジ材４１が取り付けられている。また、各延出部１３２の先端部には、面外方向へ突出する突条部１３３が形成されている。
【００２４】
なお、後述するようにシート材３０の厚さ寸法は０．２〜０．５ｍｍ程度であり、上框１１，下框１２，縦框１３に形成された突条部１１２，１２３，１３３の突出寸法をシート材３０の厚さ寸法と略同じ０．２〜０．５ｍｍ程度としている。
【００２５】
図４に示すように、上框１１、下框１２、縦框１３，１３に設けられた突条部１１２，１２３，１３３は障子２の骨組体２２の表面および裏面の周縁部を囲んでおり、その囲まれた内側には、シート材収納面７０が形成されている。このシート材収納面７０には、接着や両面テープ等によりシート材３０が貼り付けられている。このように突条部１１２，１２３，１３３の内側にシート材収納面７０が形成されることで、シート材３０を貼り付ける際のシート材３０の位置決めを容易に行うことができる。
【００２６】
シート材３０は、例えば透光性を有するポリエチレンテレフタレート（ＰＥＴ）製であり、その厚さ寸法が０．２〜０．５ｍｍ程度である。なお、シート材３０の構成材料としては、ポリエチレンテレフタレート（ＰＥＴ）に限らず、アクリル樹脂や、ポリ塩化ビニル等の他の樹脂や、紙等を採用してもよい。このシート材３０は、骨組体２２との接合部分が透過しないように、透光性の程度があまり高くないものが好ましく、また、モダン和風な雰囲気に合う和紙調仕上げのものを採用してもよい。
【００２７】
エッジ材４０は、左右の縦框１３，１３の溝部６１に取り付けられる縦エッジ材４１と、上框１１の上端部１１Ａに取り付けられる上エッジ材４２と、下框１２の溝部６０に取り付けられる下エッジ材４３とにより構成される。
【００２８】
縦エッジ材４１は、図２に示すように、縦框１３の溝部６１に取り付けられる断面凸型の本体部４１１と、本体部４１１の端縁から立ち上がる立上部４１２とを備えている。
【００２９】
本体部４１１は、図２に示すように、縦框１３の延出部１３２の先端に当接する当接部４１１Ａと、当接部４１１Ａの略中央部分から縦框１３側へ膨出して縦框本体１３１に当接する膨出部４１１Ｂとを備えている。膨出部４１１Ｂと縦框本体１３１とがビス止めされ、このビスの頭部を覆うようにキャップ部材４１３が取り付けられている。
【００３０】
立上部４１２は、図３に示すように、縦框１３の突条部１３３を越える位置まで立ち上がっている。このため、立上部４１２の先端部分がシート材３０の端縁表面まで突出してシート材３０の端縁を押えている。
【００３１】
上エッジ材４２は、図１に示すように、上框１１の上端部１１Ａに当接する当接板４２１と、当接板４２１の端縁からそれぞれ立ち上がる立上部４２２とを備えている。
【００３２】
立上部４２２は、図３に示す前記立上部４１２と同様に、上框１１の突条部１１２を越える位置まで立ち上がっている。このため、立上部４２２の先端部分がシート材３０の端縁表面まで突出してシート材３０の端縁を押えている。
【００３３】
下エッジ材４３は、図１に示すように、下框１２の溝部６０の形状に沿って形成された箱部４３１と、箱部４３１の先端が表裏面側へ折り返された立上部４３２とを備えている。このような立上部４３２により、下框１２の下部側が厚み方向に挟まれた構成となっている。立上部４３２は、前記立上部４２２と同様に、突条部１２３に当接するとともに、シート材３０側まで突出した先端部分で、シート材３０の端縁を押えている。
【００３４】
なお、本実施形態では、縦エッジ材４１の立上部４１２の立ち上がり寸法は、例えば４ｍｍとし、また、上エッジ材４２，下エッジ材４３の立上部４２２，４３２の立ち上がり寸法は例えば６ｍｍとしている。これらの立上部４１２，４２２，４３２の立ち上がり寸法は、立上部４１２，４２２，４３２をあまり目立たせず、かつシート材３０の端縁を確実に押さえることができるように、１０ｍｍ以下であることが好ましい。
【００３５】
次に、本障子２の製造方法について説明する。  
予め工場等で製造された框体１０および桟材２０を含む骨組体２２において、予め所定寸法に裁断したシート材３０をシート材収納面７０に接着剤や両面テープ等で貼り付ける。次に、上框１１の上端部１１Ａに上エッジ材４２を、溝部６０に下エッジ材４３を、溝部６１に縦エッジ材４１を、それぞれシート材３０の端縁を押さえるように取り付け、そして、縦エッジ材４１にキャップ部材４１３を取り付ける。また、引き手５０の取り付け部分のシート材３０を切除して引き手５０を取り付ける。以上の工程により、障子２が完成する。
【００３６】
なお、シート材３０をシート材収納面７０よりも大きな寸法に裁断し、シート材収納面７０に貼り付けた後、シート材収納面７０からはみ出したシート材３０をカッター等により裁断するようにしてもよい。このような手順では、エッジ材４０の立上部４１２，４２２，４３２によりシート材３０の裁断部分が被覆されるため、裁断部分が外観に露出することが防止され、障子２の意匠性を確保できる。
【００３７】
本実施形態によれば、以下のような効果がある。  
(１)骨組体２２の表裏面の略全面に亘って透光性を有するシート材３０を貼付したので、骨組体２２が完全には室内に露出せず、シート材３０を通して、骨組体２２のシルエットのみが展開される。このため、障子様のシルエットによる和風な雰囲気を保持しつつも、骨組体２２の構成材料であるアルミニウムの質感（金属感）が室内に演出されるため、洋風な雰囲気をも醸し出す。このため、和風でも洋風でもない和風モダンな空間が創造され、障子２を和風の雰囲気だけでなく洋風の雰囲気にも適用でき、例えば和室と洋室の間仕切り等にも好適である。  
(２)骨組体２２の表裏面の略全面に亘ってシート材３０を貼付したので、埃溜まりとなる部分が少なくなるから、障子２の清掃の手間を省くことができる。  
(３)骨組体２２をアルミニウム製としたので、アルミニウムは経年変化が少なく変形しにくいため、障子２のメンテナンスに掛かる手間や費用を軽減できる。  
（４）シート材３０の端縁をエッジ材４０の立上部で押さえることにより、シート端部のはがれを防止することができる。
【００３８】
本発明は、前記実施形態に限定されず、本発明の目的を達成できる他の構成等を含み、以下に示すような変形等も含まれる。例えば、図５は、本発明の変形例に係る障子２００の一部を拡大して示す横断面図である。なお、下記変形例においては、前記実施形態と同一または相当構成品には同じ符号を付して、説明を省略または簡略化する。
【００３９】
図５に示すように、本変形例に係る障子２００では、框体１０および桟材２０の表裏面にシート材３０が貼付され、この際、シート材３０の端縁が框体１０からはみ出したはみ出し部３０Ａが構成される。はみ出し部３０Ａは、框体１０の外周部分に形成された溝部６２に折り込まれる。また、シート材３０の端縁が折り込まれた溝部６２には、エッジ材４０が嵌入される。このため、シート材３０の折り込み部分（はみ出し部３０Ａ）は、当該エッジ材４０と框体１０との間に挟み込まれ、シート材３０が撓んだり位置ずれしたりするのが防止されている。本変形例によれば、シート材３０の端縁が溝部６２に折り込まれることにより、骨組体２２の表裏面がシート材３０によって完全に被覆されるから、モダン和風な雰囲気をより一層醸し出すことができる。
【００４０】
また、前記実施形態では、天井のガイドレール５に沿って回転する吊戸車６を使用し、この吊戸車６により障子２を上吊り状態として障子２が移動する構成としたが、障子２の下部に下戸車を設け、この下戸車が床面の敷居に形成したレールを転がって障子２が移動する構成としてもよい。また、下戸車を設けずに、敷居に形成したレールに障子２を配置して、障子２が移動する構成でもよい。要するに、障子２を移動させる構成は特に限定されない。
【００４１】
また、前記実施形態において、規制部材４により各障子２の姿勢変化を規制していたが、例えば、姿勢を規制する必要がない場合や、下戸車を用いて床面の敷居にレールを形成し、このレールが規制部材４の役割も果たす場合等には、規制部材４を特に設けなくてもよい。
【００４２】
また、前記実施形態において、障子１の取っ手として掘込みタイプの引き手５０を採用したが、これに限らず、ハンドルその他の取っ手を採用してもよい。また、例えば、桟材２０の一部を面外方向に突出させたつまみ部を設け、このつまみ部を取っ手として用いる構成を採用してもよい。要するに、取っ手の構成は特に限定されない。
【００４３】
前記実施形態において、シート材としてポリエチレンテレフタレート（ＰＥＴ）製のものを採用したが、これに限らず、アクリル樹脂や、ポリ塩化ビニル等の合成樹脂や、紙等の各種材料製のものを採用できる。また、シート材の材料として透光性を有するものを採用したが、透光性を有しない材料を採用してもよい。
【００４４】
また、前記実施形態において、框体１０や桟材２０をアルミニウム製としたが、これに限らず、例えばアルミニウム以外の他の金属製や樹脂製、木製等としてもよい。
【００４５】
なお、溝部へのエッジ材の取り付け手段として、ビス止め式や、スナップ式、接着その他の手段を採用でき、特に限定されない。
【図面の簡単な説明】
【００４６】
【図１】本実施形態に係る引き違い障子を示す縦断面図。
【図２】前記引き違い障子を示す横断面図。
【図３】図２のＡ部を拡大して示す横断面図。
【図４】前記引き違い障子を構成する障子を示す正面図。
【図５】本発明の変形例に係る障子の一部を拡大して示す横断面図。
【符号の説明】
【００４７】
２，２００      障子（建具）
１０      框体
１１      上框
１２      下框
１３      縦框
２０      桟材
２２      骨組体
３０      シート材
３０Ａ    はみ出し部（折り込み部分）
４０      エッジ材
４１      縦エッジ材
４１２，４２２，４３２      立上部
４２      上エッジ材
４３      下エッジ材
６０，６１，６２      溝部
７０      シート材収納面
１１２，１２３，１３３      突条部
【図１】
2005232865.tif 000003
【図２】
2005232865.tif 000004
【図３】
2005232865.tif 000005
【図４】
2005232865.tif 000006
【図５】
2005232865.tif 000007